(57)【要約】【課題】巻上機ハウジングから取り外された巻上機モータをモータ受部により確実に支持させることができるエレベータ巻上機モータ取替装置を得る。【解決手段】機械台ビーム１に載せられる基部７１と、基部７１に設けられ、高さ方向の寸法が変化するジャッキ部７２と、ジャッキ部７２における高さ方向の寸法の変化にともなって高さ位置が変化するようにジャッキ部７２に支持され、巻上機モータ２３が載せられるモータ受部７３と、ジャッキ部７２に設けられ、高さ方向に延びた回動軸７４とを備え、モータ受部７３は、回動軸７４を中心に回動可能となっている。【選択図】図４
2017048038.tif 000002
【特許請求の範囲】
【請求項１】
機械台ビームに載せられる基部と、
前記基部に設けられ、高さ方向の寸法が変化するジャッキ部と、
前記ジャッキ部における高さ方向の寸法の変化にともなって高さ位置が変化するように前記ジャッキ部に支持され、巻上機モータが載せられるモータ受部と
を備えたことを特徴とするエレベータ巻上機モータ取替装置。
【請求項２】
前記ジャッキ部に設けられ、高さ方向に延びた回動軸をさらに備え、
前記モータ受部は、前記回動軸を中心に回動可能となっていることを特徴とする請求項１に記載のエレベータ巻上機モータ取替装置。
【請求項３】
前記機械台ビームに隣り合って設けられ、前記機械台ビームとともに前記基部を支持する土台部をさらに備えたことを特徴とする請求項１または請求項２に記載のエレベータ巻上機モータ取替装置。
【請求項４】
前記モータ受部の上面には、円弧状の凹部が形成されていることを特徴とする請求項１から請求項３までの何れか一項に記載のエレベータ巻上機モータ取替装置。
【請求項５】
機械台ビームに載せられる基部と、前記基部に設けられ、高さ方向の寸法が変化するジャッキ部と、前記ジャッキ部における高さ方向の寸法の変化にともなって高さ位置が変化するように前記ジャッキ部に支持されたモータ受部とを備えたエレベータ巻上機モータ取替装置を用いて巻上機モータを取り替えるエレベータ巻上機モータ取替方法であって、
前記モータ受部が前記巻上機モータの下方に配置されるように前記基部を前記機械台ビームに載せ、前記モータ受部の高さ位置が前記巻上機モータの高さ位置に対応するように、前記ジャッキ部の高さ方向の寸法を変化させる取替装置設置工程と、
前記取替装置設置工程の後、巻上機ハウジングから前記巻上機モータを取り外して、前記巻上機モータを前記モータ受部に支持させる巻上機モータ取外工程と
を備えたことを特徴とするエレベータ巻上機モータ取替方法。
【発明の詳細な説明】
【技術分野】
【０００１】
この発明は、巻上機モータを取り替える際に用いられるエレベータ巻上機モータ取替装置および巻上機モータを取り替えるエレベータ巻上機モータ取替方法に関する。
【背景技術】
【０００２】
従来、機械台ビームに載せられる基部と、基部に支持され、巻上機モータが載せられるモータ受部とを備えたエレベータ巻上機モータ取替装置が知られている。基部を機械台ビームに載せた状態で、巻上機ハウジングから巻上機モータを取り外し、巻上機ハウジングから取り外された巻上機モータをモータ受部に支持させる（例えば、特許文献１参照）。
【先行技術文献】
【特許文献】
【０００３】
【特許文献１】特開２０１４−２１８３４８号公報
【発明の概要】
【発明が解決しようとする課題】
【０００４】
しかしながら、エレベータ巻上機モータ取替装置の高さ方向の寸法が機械台ビームから巻上機モータまでの寸法よりも大きい場合には、エレベータ巻上機モータ取替装置を機械台ビームと巻上機モータとの間の空間に配置することができないので、エレベータ巻上機モータ取替装置を機械台ビームに取り付けることが困難である。その結果、巻上機ハウジングから取り外された巻上機モータをモータ受部に支持させることができないという問題点があった。
【０００５】
この発明は、巻上機ハウジングから取り外された巻上機モータをモータ受部により確実に支持させることができるエレベータ巻上機モータ取替装置およびエレベータ巻上機モータ取替方法を提供するものである。
【課題を解決するための手段】
【０００６】
この発明に係るエレベータ巻上機モータ取替装置は、機械台ビームに載せられる基部と、基部に設けられ、高さ方向の寸法が変化するジャッキ部と、ジャッキ部における高さ方向の寸法の変化にともなって高さ位置が変化するようにジャッキ部に支持され、巻上機モータが載せられるモータ受部とを備えている。
【発明の効果】
【０００７】
この発明に係るエレベータ巻上機モータ取替装置によれば、ジャッキ部の高さ方向の寸法を変化させることによって、エレベータ巻上機モータ取替装置の高さ方向の寸法を変化させることができるので、エレベータ巻上機モータ取替装置の高さ方向の寸法を機械台ビームから巻上機モータまでの寸法に対応させることができる。これにより、エレベータ巻上機モータ取替装置をより確実に設置することができ、巻上機ハウジングから取り外された巻上機モータをモータ受部により確実に支持させることができる。
【図面の簡単な説明】
【０００８】
【図１】この発明の実施の形態１に係るエレベータを示す側面図である。
【図２】図１のエレベータに用いられるエレベータ巻上機モータ取替装置を示す正面図である。
【図３】図２のエレベータ巻上機モータ取替装置を示す側面図である。
【図４】図２のエレベータ巻上機モータ取替装置を示す拡大図である。
【発明を実施するための形態】
【０００９】
実施の形態１．
図１はこの発明の実施の形態１に係るエレベータを示す側面図である。図において、エレベータは、２本の機械台ビーム１と、それぞれの機械台ビーム１に渡って載せられた巻上機２と、巻上機２の上方に設けられたエレベータ制御盤３と、利用者が乗降するかご４と、巻上機２とかご４とに接続されるロープ５と、ロープ５を支持する一対のそらせ車６とを備えている。
【００１０】
このエレベータが設置される建物には、昇降路１００と、昇降路１００に隣り合うように配置された機械室１０１とが形成されている。かご４およびそらせ車６は、昇降路１００に配置されている。機械台ビーム１、巻上機２およびエレベータ制御盤３は、機械室１０１に配置されている。巻上機２と機械室１０１の天井との間の寸法は、ホイスト等を設置することができない程度に狭くなっている。なお、巻上機２と機械室１０１の天井との間の寸法は、ホイスト等を設置することができる程度であってもよい。
【００１１】
巻上機２は、ロープ５の巻取および送出を行う巻上機ドラム２１と、巻上機ドラム２１を収容する巻上機ハウジング２２と、巻上機ドラム２１を回転させる巻上機モータ２３と、巻上機ドラム２１と巻上機モータ２３との間に設けられたブレーキ（図示せず）とを有している。
【００１２】
図２は図１のエレベータに用いられるエレベータ巻上機モータ取替装置を示す正面図、図３は図２のエレベータ巻上機モータ取替装置を示す側面図、図４は図２のエレベータ巻上機モータ取替装置を示す拡大図である。図２および図３では、エレベータ巻上機モータ取替装置７がエレベータに設置されている状態を示している。エレベータ巻上機モータ取替装置７は、機械台ビーム１に載せられる基部７１と、基部７１に設けられ、高さ方向の寸法が変化するジャッキ部７２と、ジャッキ部７２における高さ方向の寸法の変化にともなって高さ位置が変化するようにジャッキ部７２に支持され、巻上機モータ２３が載せられるモータ受部７３と、ジャッキ部７２に設けられ、高さ方向に延びた回動軸７４と、機械台ビーム１に隣り合って設けられ、機械台ビーム１とともに基部７１を支持する土台部７５とを備えている。
【００１３】
ジャッキ部７２は、ねじ部を有している。ねじ部が回転することによって、ジャッキ部７２は、高さ方向の寸法が変化する。ねじ部には、インパクトドライバー（図示せず）が接続可能となっている。なお、ねじ部には、インパクトドライバーの代わりに、ねじ部を回転させるためのハンドルが設けられてもよい。
【００１４】
モータ受部７３の面には、円弧状の凹部７３１が形成されている。凹部７３１は、巻上機モータ２３の外周面の形状に対応して形成されている。なお、モータ受部７３の凹部７３１は、複数種類の巻上機モータ２３の外周面に対応できるように、曲率半径が変化できるような構成であってもよい。また、複数種類の巻上機モータ２３の外周面に対応する複数種類のモータ受部７３を備え、それぞれのモータ受部７３が回動軸７４に着脱可能となるような構成であってもよい。
【００１５】
モータ受部７３は、回動軸７４に設けられている。モータ受部７３は、回動軸７４を中心に３６０°回動可能となっている。したがって、回動軸７４を中心にモータ受部７３を回動させることによって、モータ受部７３に載せられた巻上機モータ２３も回動軸７４を中心に回動させることができる。
【００１６】
土台部７５は、硬質発泡スチロールから構成されている。なお、土台部７５は、硬質発泡スチロールに限らず、機械台ビーム１とともに基部７１を支持することができる材料から構成されていればよい。
【００１７】
次に、エレベータ巻上機モータ取替装置７を用いたエレベータ巻上機モータ取替方法について説明する。まず、既設の巻上機モータ２３を巻上機ハウジング２２から取り外す工程について説明する。モータ受部７３が巻上機モータ２３の下方に配置されるように基部７１を機械台ビーム１に載せ、モータ受部７３の高さ位置が巻上機モータ２３の高さ位置に対応するように、ジャッキ部７２の高さ方向の寸法を変化させる（取替装置設置工程）。このとき、上方から視たときの巻上機モータ２３の重心が機械台ビーム１からずれている場合には、上方から視たときの巻上機モータ２３の重心となる位置に重なる位置に土台部７５を配置する。つまり、巻上機モータ２３の重心を支持することができる位置に土台部７５を配置する。また、取替装置設置工程では、モータ受部７３の凹部７３１に巻上機モータ２３の外周面が嵌まるように回動軸７４を中心にモータ受部７３を回動させる。
【００１８】
その後、巻上機ハウジング２２から巻上機モータ２３を取り外して、巻上機モータ２３をモータ受部７３に支持させる（巻上機モータ取外工程）。巻上機ハウジング２２から巻上機モータ２３を取り外す際には、巻上機モータ２３の出力軸に固定されたカップリング（図示せず）とブレーキのブレーキホイール（図示せず）とを切り離す。具体的には、カップリングとブレーキホイールとを固定するカップリングボルトをカップリングおよびブレーキホイールから取り外す。巻上機モータ取外工程では、巻上機モータ２３がモータ受部７３に支持されているので、巻上機ハウジング２２から巻上機モータ２３を容易に取り外すことができる。巻上機モータ取外工程の後、モータ受部７３に支持された巻上機モータ２３を作業者が機械室１０１から搬出する。モータ受部７３に支持された巻上機モータ２３を機械室１０１から搬出する際には、作業者が巻上機モータ２３を持ちやすくなるように、回動軸７４を中心にモータ受部７３を回動させてもよく、また、ジャッキ部７２の高さ方向の寸法を変化させて巻上機モータ２３の高さ方向の位置を変化させてもよい。以上により、既設の巻上機モータ２３を巻上機ハウジング２２から取り外す工程が終了する。
【００１９】
次に、新規の巻上機モータ２３を巻上機ハウジング２２に取り付ける工程について説明する。まず、基部７１を機械台ビーム１に載せ、モータ受部７３に巻上機モータ２３を載せ、巻上機モータ２３の高さ位置が巻上機ハウジング２２における巻上機モータ２３が取り付けられる部分の高さ位置と一致するように、ジャッキ部７２の高さ方向の寸法を変化させる（取替装置設置工程）。このとき、上方から視たときの巻上機モータ２３の重心が機械台ビーム１からずれている場合には、上方から視たときの巻上機モータ２３の重心となる位置に重なる位置に土台部７５を配置する。つまり、巻上機モータ２３の重心を支持することができる位置に土台部７５を配置する。また、取替装置設置工程では、モータ受部７３の凹部７３１に巻上機モータ２３の外周面が嵌まるように回動軸７４を中心にモータ受部７３を回動させる。また、取替装置設置工程では、作業者が巻上機モータ２３を載せやすい位置にモータ受部７３を配置した後、モータ受部７３に巻上機モータ２３を載せて、ジャッキ部７２の高さ方向の寸法を変化させて巻上機モータ２３の高さ方向の位置を変化させてもよい。
【００２０】
その後、カップリングボルトを用いてカップリングとブレーキホイールとを固定し、ボルトを用いて巻上機ハウジング２２に巻上機モータ２３を固定する（巻上機モータ取付工程）。巻上機モータ取付工程では、巻上機モータ２３がモータ受部７３に支持されているので、巻上機ハウジング２２に巻上機モータ２３を容易に取り付けることができる。以上により、新規の巻上機モータ２３を巻上機ハウジング２２に取り付ける工程が終了する。
【００２１】
以上説明したように、この発明の実施の形態１に係るエレベータ巻上機モータ取替装置７によれば、機械台ビーム１に載せられる基部７１と、基部７１に設けられ、高さ方向の寸法が変化するジャッキ部７２と、ジャッキ部７２における高さ方向の寸法の変化にともなって高さ位置が変化するようにジャッキ部７２に支持され、巻上機モータ２３が載せられるモータ受部７３とを備えているので、ジャッキ部７２の高さ方向の寸法を変化させることによって、エレベータ巻上機モータ取替装置７の高さ方向の寸法を変化させることができる。これにより、エレベータ巻上機モータ取替装置７の高さ方向の寸法を機械台ビーム１から巻上機モータ２３までの寸法に対応させることができる。その結果、エレベータ巻上機モータ取替装置７をより確実に設置することができ、巻上機ハウジング２２から取り外された巻上機モータ２３をモータ受部７３により確実に支持させることができる。
【００２２】
また、このエレベータ巻上機モータ取替装置７は、ジャッキ部７２に設けられ、高さ方向に延びた回動軸７４を備え、モータ受部７３は、回動軸７４を中心に回動可能となっているので、回動軸７４を中心にしてモータ受部７３に載せられた巻上機モータ２３を回動させることができる。モータ受部７３の高さ位置を変化せ、また、モータ受部７３を回動させることによって、巻上機モータ２３の取付および取外をより効果的に行うことができる。
【００２３】
また、このエレベータ巻上機モータ取替装置７は、機械台ビーム１に隣り合って設けられ、機械台ビーム１とともに基部７１を支持する土台部７５を備えているので、上方から視たときの巻上機モータ２３の重心となる位置が機械台ビーム１からずれている場合には、上方から視たときの巻上機モータ２３の重心となる位置に土台部７５を配置することによって、エレベータ巻上機モータ取替装置７が巻上機モータ２３をより安定して支持することができる。
【００２４】
また、モータ受部７３の上面には、円弧状の凹部７３１が形成されているので、モータ受部７３は、巻上機モータ２３をより確実に支持することができる。
【００２５】
また、この発明の実施の形態１に係るエレベータ巻上機モータ取替方法によれば、モータ受部７３が巻上機モータ２３の下方に配置されるように基部７１を機械台ビーム１に載せ、モータ受部７３の高さ位置が巻上機モータ２３の高さ位置に対応するように、ジャッキ部７２の高さ方向の寸法を変化させる取替装置設置工程と、取替装置設置工程の後、巻上機ハウジング２２から巻上機モータ２３を取り外して、巻上機モータ２３をモータ受部７３に支持させる巻上機モータ取外工程とを備えているので、ジャッキ部７２の高さ方向の寸法を変化させることによって、エレベータ巻上機モータ取替装置７の高さ方向の寸法を変化させることができる。これにより、エレベータ巻上機モータ取替装置７の高さ方向の寸法を機械台ビーム１から巻上機モータ２３までの寸法に対応させることができる。その結果、エレベータ巻上機モータ取替装置７をより確実に設置することができ、巻上機ハウジング２２から取り外された巻上機モータ２３をモータ受部７３により確実に支持させることができる。
【符号の説明】
【００２６】
１  機械台ビーム、２  巻上機、３  エレベータ制御盤、４  かご、５  ロープ、６  そらせ車、７  エレベータ巻上機モータ取替装置、２１  巻上機ドラム、２２  巻上機ハウジング、２３  巻上機モータ、７１  基部、７２  ジャッキ部、７３  モータ受部、７４  回動軸、７５  土台部、１００  昇降路、１０１  機械室、７３１  凹部。
【図１】
2017048038.tif 000003
【図２】
2017048038.tif 000004
【図３】
2017048038.tif 000005
【図４】
2017048038.tif 000006